(57)【要約】【課題】回転軸（第二回転軸）の軸方向に見たときのスペースを小さくできるようにする。【解決手段】駆動機構は、駆動源からの駆動力で回転する第一駆動ロールの第一回転軸に固定され、前記第一回転軸と一体に回転する第一伝達手段と、前記第一駆動ロールに対向する第二駆動ロールの第二回転軸に対して空転可能に設けられ、前記第一伝達手段からの駆動力が伝達される第二伝達手段と、前記第二伝達手段からの駆動力が伝達される一以上の伝達手段と、前記第二回転軸に固定され、前記一以上の伝達手段からの駆動力が伝達され、前記第一駆動ロールに対して予め定められた周速比で前記第二駆動ロールを回転させる第三伝達手段と、を備える。【選択図】図５
2020030297.tif 000002
【特許請求の範囲】
【請求項１】
駆動源からの駆動力で回転する第一駆動ロールの第一回転軸に固定され、前記第一回転軸と一体に回転する第一伝達手段と、
前記第一駆動ロールに対向する第二駆動ロールの第二回転軸に対して空転可能に設けられ、前記第一伝達手段からの駆動力が伝達される第二伝達手段と、
前記第二伝達手段からの駆動力が伝達される一以上の伝達手段と、
前記第二回転軸に固定され、前記一以上の伝達手段からの駆動力が伝達され、前記第一駆動ロールに対して予め定められた周速比で前記第二駆動ロールを回転させる第三伝達手段と、
を備える駆動機構。
【請求項２】
前記一以上の伝達手段は、
前記第二伝達手段から駆動力が伝達される第四伝達手段と、
前記第四伝達手段からの駆動力が伝達され、前記第二回転軸の軸方向に沿った方向に見て、前記第四伝達手段と重なる第五伝達手段と、
を備える請求項１に記載の駆動機構。
【請求項３】
前記第二回転軸の軸方向に沿って配置された第三回転軸、を備え、
前記第四伝達手段及び前記第五伝達手段は、前記第三回転軸に設けられ、少なくとも一方が前記第三回転軸に対して空転可能とされている
請求項２に記載の駆動機構。
【請求項４】
前記第一回転軸に対して前記第二回転軸を相対移動させて前記第二伝達手段を前記第一伝達手段に対して接離させる接離機構と、
前記第一回転軸を支持し、前記第二伝達手段が前記第一伝達手段に接触する位置に、前記第二回転軸を前記第一回転軸に対して位置決めする位置決め手段と、
を備える請求項１〜３のいずれか１項に記載の駆動機構。
【請求項５】
転写ベルトが巻き掛けられ、前記第一駆動ロールとしての対向ロールと、
前記転写ベルトの画像を記録媒体に転写する前記第二駆動ロールとしての転写ロールと、
請求項１〜４のいずれか１項に記載の駆動機構と、
を備える画像形成装置。
【請求項６】
前記転写ロールに接触して、前記転写ロールに付着したトナーを除去する除去手段、
を備える請求項５に記載の画像形成装置。
【請求項７】
前記除去手段が除去したトナーを収容する収容手段と、
前記収容手段の内部に配置され、前記一以上の伝達手段から駆動力が伝達されて回転し、前記収容手段に収容されたトナーを搬送する搬送手段と、
を備える請求項６に記載の画像形成装置。
【発明の詳細な説明】
【技術分野】
【０００１】
本発明は、駆動機構及び画像形成装置に関する。
【背景技術】
【０００２】
特許文献１には、中間転写ベルトが巻き掛けられた対向ロールと、中間転写ベルトを介して対向ロールに対向配置された二次転写ロールと、を有する画像形成装置が開示されている。
【先行技術文献】
【特許文献】
【０００３】
【特許文献１】特開２０１７−２７０２２号公報
【発明の概要】
【発明が解決しようとする課題】
【０００４】
ここで、対向ロール（第一駆動ロール）の回転軸に固定された第一ギヤ（第一伝達手段）から、第二ギヤ（第二伝達手段）を含む複数の伝達手段を介して二次転写ロール（第二駆動ロール）に駆動力を伝達し、対向ロールに対して予め定められた周速比で二次転写ロールを回転させる構成では、伝達手段が配置される分、スペースが大きくなる場合がある。
【０００５】
本発明は、第二伝達手段が第二駆動ロールの第二回転軸とは異なる位置に設けられている構成に比べ、第二回転軸の軸方向に見たときのスペースを小さくできるようにすることを目的とする。
【課題を解決するための手段】
【０００６】
請求項１の発明は、駆動源からの駆動力で回転する第一駆動ロールの第一回転軸に固定され、前記第一回転軸と一体に回転する第一伝達手段と、前記第一駆動ロールに対向する第二駆動ロールの第二回転軸に対して空転可能に設けられ、前記第一伝達手段からの駆動力が伝達される第二伝達手段と、前記第二伝達手段からの駆動力が伝達される一以上の伝達手段と、前記第二回転軸に固定され、前記一以上の伝達手段からの駆動力が伝達され、前記第一駆動ロールに対して予め定められた周速比で前記第二駆動ロールを回転させる第三伝達手段と、を備える。
【０００７】
請求項２の発明は、前記一以上の伝達手段は、前記第二伝達手段から駆動力が伝達される第四伝達手段と、前記第四伝達手段からの駆動力が伝達され、前記第二回転軸の軸方向に沿った方向に見て、前記第四伝達手段と重なる第五伝達手段と、を備える。
【０００８】
請求項３の発明は、前記第二回転軸の軸方向に沿って配置された第三回転軸、を備え、前記第四伝達手段及び前記第五伝達手段は、前記第三回転軸に設けられ、少なくとも一方が前記第三回転軸に対して空転可能とされている。
【０００９】
請求項４の発明は、前記第一回転軸に対して前記第二回転軸を相対移動させて前記第二伝達手段を前記第一伝達手段に対して接離させる接離機構と、前記第一回転軸を支持し、前記第二伝達手段が前記第一伝達手段に接触する位置に、前記第二回転軸を前記第一回転軸に対して位置決めする位置決め手段と、を備える。
【００１０】
請求項５の発明は、転写ベルトが巻き掛けられ、前記第一駆動ロールとしての対向ロールと、前記転写ベルトの画像を記録媒体に転写する前記第二駆動ロールとしての転写ロールと、請求項１〜４のいずれか１項に記載の駆動機構と、を備える。
【００１１】
請求項６の発明は、前記転写ロールに接触して、前記転写ロールに付着したトナーを除去する除去手段、を備える。
【００１２】
請求項７の発明は、前記除去手段が除去したトナーを収容する収容手段と、前記収容手段の内部に配置され、前記一以上の伝達手段から駆動力が伝達されて回転し、前記収容手段に収容されたトナーを搬送する搬送手段と、を備える。
【発明の効果】
【００１３】
本発明の請求項１の構成によれば、第二伝達手段が第二駆動ロールの第二回転軸とは異なる位置に設けられている構成に比べ、第二回転軸の軸方向に見たときのスペースを小さくできる。
【００１４】
本発明の請求項２の構成によれば、第五伝達手段が、第二回転軸の軸方向に沿った方向に見て、第四伝達手段と重なっていない構成に比べ、第二回転軸の軸方向に見たときのスペースを小さくできる。
【００１５】
本発明の請求項３の構成によれば、第四伝達手段及び第五伝達手段が、異なる回転軸に設けられる構成に比べ、第二回転軸の軸方向に見たときのスペースを小さくできる。
【００１６】
本発明の請求項４の構成によれば、第一伝達手段と第二伝達手段との接触により第二回転軸が第一回転軸に対して位置決めされる構成に比べ、第二伝達手段と第一伝達手段との軸間の公差を低減できる。
【００１７】
本発明の請求項５の構成によれば、第二伝達手段が転写ロールの回転軸とは異なる位置に設けられている駆動機構を有する構成に比べ、画像が記録媒体に転写される転写位置の位置ずれを抑制しつつ、省スペース化を図ることができる。
【００１８】
本発明の請求項６の構成によれば、第二伝達手段が転写ロールの回転軸とは異なる位置に設けられている駆動機構を有する構成に比べ、除去手段の接触によって転写ロールに負荷が掛かっても、対向ロールに対して予め定められた周速比で転写ロールを回転させつつ、省スペース化を図ることができる。
【００１９】
本発明の請求項７の構成によれば、転写ロールと搬送手段とを同一の駆動源で駆動することができる。
【図面の簡単な説明】
【００２０】
【図１】本実施形態に係る画像形成装置の構成を示す概略図である。
【図２】図１に示される画像形成装置においてカバーが開放された状態を示す概略図である。
【図３】図１に示される画像形成装置において、二次転写ロール及び対向ロールの周辺を拡大して示す概略図である。
【図４】本実施形態に係る転写ユニットの一部を示す斜視図である。
【図５】本実施形態に係る駆動機構を示す斜視図である。
【図６】本実施形態に係る駆動機構を示す正面図である。
【図７】本実施形態に係る位置決め部を示す正面図である。
【発明を実施するための形態】
【００２１】
以下に、本発明に係る実施形態の一例を図面に基づき説明する。
【００２２】
（画像形成装置１０）
まず、画像形成装置１０の構成を説明する。図１及び図２は、画像形成装置１０の構成を示す概略図である。なお、各図の矢印ＵＰは、装置上方（鉛直上方）を示す。
【００２３】
画像形成装置１０は、図１に示されるように、各構成部品が内部に収容される装置本体１１を備えている。装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、が設けられている。また、装置本体１１の上部には、画像形成部１４によって画像が形成された記録媒体Ｐが排出される排出部１８が設けられている。なお、装置本体１１には、図２に示されるように、装置本体１１に対して開閉されるカバー６０が設けられている。
【００２４】
画像形成部１４は、図１に示されるように、イエロー（Ｙ）、マゼンタ（Ｍ）、シアン（Ｃ）、ブラック（Ｋ）の各色のトナー像（画像の一例）を形成する画像形成ユニット２２Ｙ、２２Ｍ、２２Ｃ、２２Ｋ（以下、２２Ｙ〜２２Ｋと示す）を備えている。また、画像形成部１４は、画像形成ユニット２２Ｙ〜２２Ｋで形成されたトナー像が転写される中間転写ベルト２４（転写ベルトの一例）と、各画像形成ユニット２２Ｙ〜２２Ｋで形成されたトナー像を中間転写ベルト２４に転写する転写部としての一次転写ロール２６と、を有する転写ユニット４０（転写装置）を備えている。さらに、画像形成部１４は、一次転写ロール２６によって中間転写ベルト２４に転写されたトナー像を中間転写ベルト２４から記録媒体Ｐへ転写する二次転写ロール２８（転写ロールの一例）を備えている。
【００２５】
各画像形成ユニット２２Ｙ〜２２Ｋは、一方向（例えば、図１における反時計回り方向）へ回転する感光体３２を有している。なお、各画像形成ユニット２２Ｙ〜２２Ｋは、同様に構成されているので、図１において、画像形成ユニット２２Ｙ、２２Ｍ、２２Ｃにおける各部の符号を省略している。
【００２６】
感光体３２の周囲には、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー像を形成する現像装置３８と、が設けられている。
【００２７】
一次転写ロール２６は、中間転写ベルト２４を挟んで感光体３２に対向している。一次転写ロール２６と感光体３２との間が、感光体３２に形成されたトナー像が中間転写ベルト２４に転写される一次転写位置とされている。一次転写ロール２６は、感光体３２との間に転写電圧が印加されることで、感光体３２に形成されたトナー像を一次転写位置にて中間転写ベルト２４に転写する構成とされている。
【００２８】
中間転写ベルト２４は、環状に形成されている。中間転写ベルト２４には、複数の巻掛ロール４２、４３、４４、４５が巻き掛けられている。中間転写ベルト２４は、巻掛ロール４２が、後述のように駆動源７２によって回転駆動することによって、一次転写ロール２６と感光体３２と接触しながら一方向（例えば、Ａ方向）へ周回（回転）するようになっている。すなわち、巻掛ロール４２が駆動ロールとして機能している。なお、巻掛ロール４２は、二次転写ロール２８に対向する対向ロール（バックアップロール）としても機能する。以下、巻掛ロール４２を対向ロール４２と称する場合がある。
【００２９】
二次転写ロール２８は、中間転写ベルト２４を挟んで巻掛ロール４２に対向している。二次転写ロール２８と巻掛ロール４２との間が、中間転写ベルト２４に転写されたトナー像が記録媒体Ｐに転写される二次転写位置とされている。二次転写ロール２８は、巻掛ロール４２（中間転写ベルト２４）との間に転写電圧が印加されることで、中間転写ベルト２４に形成されたトナー像を二次転写位置にて記録媒体Ｐに転写する構成とされている。
【００３０】
搬送部１６は、収容部１２に収容された記録媒体Ｐを送り出す送出ロール４６と、送出ロール４６によって送り出された記録媒体Ｐが搬送される搬送路４８と、搬送路４８に沿って配置され送出ロール４６によって送り出された記録媒体Ｐを二次転写位置へ搬送する複数の搬送ロール５０と、を備えている。
【００３１】
二次転写位置の上方側（搬送方向下流側）には、二次転写ロール２８によって記録媒体Ｐに転写されたトナー像を記録媒体Ｐに定着させる定着装置５８が設けられている。この定着装置５８の上方側（搬送方向下流側）には、トナー像が定着された記録媒体Ｐを排出部１８へ排出する排出ロール５２が設けられている。
【００３２】
また、片面にトナー像が定着された記録媒体Ｐを反転させて、再び二次転写位置へ送り戻すための反転搬送路３７が、二次転写ロール２８に対する中間転写ベルト２４とは反対側（図１における左側）に設けられている。記録媒体Ｐの両面に画像を形成する際には、片面にトナー像が定着された記録媒体Ｐが、排出ロール５２によりスイッチバックされて反転搬送路３７に導かれて、搬送ロール３５で搬送されて二次転写位置へ送り戻されるようになっている。
【００３３】
（画像形成装置１０の構成の補足説明）
次に、画像形成装置１０の構成の補足説明をする。
【００３４】
対向ロール４２は、図３に示されるように、シャフト４２Ａと、ロール部４２Ｂと、を有している。ロール部４２Ｂは、シャフト４２Ａの外周にロール状（円筒状）に設けられている。シャフト４２Ａは、図４に示されるように、転写ユニット４０の支持体９０に回転可能に支持されている。対向ロール４２は、第一駆動ロールの一例である。シャフト４２Ａは、第一回転軸の一例である。
【００３５】
なお、転写ユニット４０の支持体９０は、対向ロール４２の軸方向両端側（中間転写ベルト２４の幅方向両端側）に配置された一対で構成されており、対向ロール４２を含む複数の巻掛ロール４２〜４５（図１参照）を回転可能に支持する支持体として機能している。また、転写ユニット４０は、装置本体１１に対して、例えば、中間転写ベルト２４の幅方向の一方側（具体的には、図１における紙面の奥側（図４におけるＸ方向側））へ取り出し可能に、装置本体１１に設けられている。
【００３６】
二次転写ロール２８は、図３に示されるように、対向ロール４２に対向している。具体的には、二次転写ロール２８は、対向ロール４２とで中間転写ベルト２４を挟んでいる。すなわち、二次転写ロール２８は、中間転写ベルト２４を介して対向ロール４２と対向している。
【００３７】
この二次転写ロール２８は、図３に示されるように、シャフト２８Ａと、ロール部２８Ｂと、を有している。ロール部２８Ｂは、シャフト２８Ａの外周にロール状（円筒状）に設けられている。シャフト２８Ａは、カバー６０に回転可能に支持されている（図２参照）。二次転写ロール２８は、第二駆動ロールとしての転写ロールの一例である。シャフト２８Ａは、第二回転軸の一例である。
【００３８】
カバー６０は、図２に示されるように、装置本体１１に対して開閉可能に装置本体１１に設けられている。カバー６０は、装置本体１１の側部に配置されており、カバー６０の下部が装置本体１１に回転可能に支持されている。
【００３９】
カバー６０には、図３に示されるように、二次転写ロール２８に接触して、二次転写ロール２８に付着したトナーを除去する除去部材６２が設けられている。除去部材６２は、具体的には、板状に形成されたゴムブレードで構成されている。除去部材６２は、自らの弾性力により二次転写ロール２８に押し当てられるように、カバー６０に固定された支持部材６３に支持されている。二次転写ロール２８が回転することで、除去部材６２が、二次転写ロール２８に付着したトナーが掻き落とされる。なお、除去部材６２は、除去手段の一例である。
【００４０】
二次転写ロール２８に回転方向における除去部材６２の下流側には、封止部材としてのフィルム６５が設けられている。このフィルム６５によって、後述の収容部６４の開口６４Ａからのトナーの漏れが抑制される。
【００４１】
さらに、カバー６０には、除去部材６２が除去したトナーを収容する収容部６４が設けられている。収容部６４は、二次転写ロール２８の外周一部を露出させる開口６４Ａを有する箱状に形成されている。なお、収容部６４は、収容手段の一例である。
【００４２】
また、収容部６４の内部には、収容部６４に収容されたトナーを搬送する搬送部材６６が設けられている。なお、搬送部材６６は、搬送手段の一例である。
【００４３】
搬送部材６６は、具体的には、軸部６６Ａと、軸部６６Ａの外周に螺旋状に形成された羽根６６Ｂと、を有している。軸部６６Ａの軸方向一端部には、後述するギヤ６９（図５参照）が設けられている。ギヤ６９を通じて、駆動力が伝達されて、軸部６６Ａが回転することで、羽根６６Ｂが、トナーを軸部６６Ａの軸方向に搬送する。搬送部材６６は、トナーを軸部６６Ａの軸方向に搬送することで、収容部６４に収容されたトナーを図３の紙面の奥行き方向で均す作用を有している。
【００４４】
（駆動機構７０）
次に、二次転写ロール２８及び対向ロール４２を駆動する駆動機構７０について説明する。本実施形態に係る駆動機構７０は、図４、図５及び図６に示されている。
【００４５】
図５に示される駆動機構７０は、駆動源７２（図４参照）と、第一ギヤ８１（第一伝達手段の一例）と、第二ギヤ８２（第二伝達手段の一例）と、第三ギヤ８３（第三伝達手段の一例）と、第四ギヤ８４（第四伝達手段の一例）と、第五ギヤ８５（第五伝達手段の一例）と、段付ギヤ８６と、シャフト２９（第三回転軸の一例）と、を有している。
【００４６】
図４に示される駆動源７２は、対向ロール４２を回転駆動する駆動源である。すなわち、対向ロール４２は、駆動源７２からの駆動力で回転する構成とされている。駆動源７２は、具体的には、駆動モータ（電動機）で構成されている。駆動源７２は、例えば、画像形成装置１０の装置本体１１に設けられている。
【００４７】
なお、本実施形態では、図４に示されるように、対向ロール４２の軸方向一端に設けられたカップリング７８を介して、駆動源７２からの駆動力が対向ロール４２に伝達される。このカップリング７８は、駆動源７２の駆動軸又は、駆動源７２によって回転される回転軸に固定されたカップリング７４に対して軸方向に接続される。転写ユニット４０が装置本体１１から矢印Ｘ方向に引き出されることで、カップリング７８はカップリング７４から離間し、接続状態が解除される。
【００４８】
第一ギヤ８１は、図５に示されるように、対向ロール４２のシャフト４２Ａに固定されており、対向ロール４２と一体に回転する構成とされている。換言すれば、第一ギヤ８１は、駆動源７２からの駆動力によって、対向ロール４２と共に回転する構成とされている。第一ギヤ８１は、具体的には、対向ロール４２のシャフト４２Ａの軸方向一端部に固定されている。さらに具体的には、図４に示されるように、第一ギヤ８１は、シャフト４２Ａにおける支持体９０と、ロール部４２Ｂとの間に配置されている。換言すれば、第一ギヤ８１は、シャフト４２Ａにおけるカップリング７８と中間転写ベルト２４との間に配置されているともいえる。また、第一ギヤ８１は、中間転写ベルト２４から露出する位置に配置されているともいえる。
【００４９】
第二ギヤ８２は、二次転写ロール２８のシャフト２８Ａに対して空転可能に設けられている。すなわち、第二ギヤ８２は、二次転写ロール２８のシャフト２８Ａに相対回転可能に支持されている。換言すれば、第二ギヤ８２とシャフト２８Ａとは独立して回転可能とされている。さらに換言すれば、第二ギヤ８２とシャフト２８Ａとは、同軸上で異なる回転速度で回転可能とされている。
【００５０】
第二ギヤ８２は、第一ギヤ８１からの駆動力が伝達される。具体的には、第二ギヤ８２の外周に形成された歯が、第一ギヤ８１の外周に形成された歯と噛み合うことで、第一ギヤ８１の回転力が第二ギヤ８２に伝達されて、第二ギヤ８２が回転する。この第二ギヤ８２は、具体的には、図６に示されるように、第一ギヤ８１に対する下側の位置（低い位置）に配置されている。さらに具体的には、第二ギヤ８２は、第一ギヤ８１の斜め下側に配置されている。
【００５１】
シャフト２９（第三回転軸の一例）は、図５に示されるように、二次転写ロール２８のシャフト２８Ａの軸方向に沿って配置されている。具体的には、図５に示されるように、シャフト２９は、二次転写ロール２８のシャフト２８Ａに対する対向ロール４２のシャフト４２Ａとは反対側に配置されている。換言すれば、シャフト２９とシャフト４２Ａとの間に、シャフト２８Ａが配置されているともいえる。具体的には、シャフト２９は、シャフト２８Ａに対する下側の位置（低い位置）に配置されている。さらに具体的には、シャフト２９は、シャフト２８Ａの斜め下側に配置されている。
【００５２】
第四ギヤ８４は、シャフト２９に対して空転可能に設けられている。すなわち、第四ギヤ８４は、シャフト２９に相対回転可能に支持されている。換言すれば、第二ギヤ８２とシャフト２８Ａとは独立して回転可能とされている。第四ギヤ８４は、第二ギヤ８２からの駆動力が伝達される。具体的には、第四ギヤ８４の外周に形成された歯が、第二ギヤ８２の外周に形成された歯と噛み合うことで、第二ギヤ８２の回転力が第四ギヤ８４に伝達されて、第四ギヤ８４が回転する。
【００５３】
段付ギヤ８６は、第四ギヤ８４に対する第二ギヤ８２とは反対側に配置されている。換言すれば、段付ギヤ８６と第二ギヤ８２との間に、第四ギヤ８４が配置されているともいえる。具体的には、段付ギヤ８６の回転軸は、第四ギヤ８４の回転軸に対する下側の位置（低い位置）に配置されている。さらに具体的には、段付ギヤ８６の回転軸が、第四ギヤ８４の回転軸の斜め下側に配置されている。
【００５４】
この段付ギヤ８６は、例えば、図示しないシャフトに空転可能に設けられている。すなわち、段付ギヤ８６は、当該シャフトに相対回転可能に支持されている。段付ギヤ８６は、具体的には、大径ギヤ８６Ａと、小径ギヤ８６Ｂと、を有している。この大径ギヤ８６Ａ及び小径ギヤ８６Ｂは一体に構成されている。
【００５５】
小径ギヤ８６Ｂは、大径ギヤ８６Ａよりも小径とされている。小径ギヤ８６Ｂは、大径ギヤ８６Ａに対して、軸方向の一方側に配置されている。なお、大径ギヤ８６Ａに対して小径ギヤ８６Ｂが配置された側は、装置本体１１における装置前後方向の中央側であるので、以下、内側と表現する場合がある。また、その反対側を外側と表現する場合がある。
【００５６】
大径ギヤ８６Ａは、第四ギヤ８４からの駆動力が伝達される。具体的には、大径ギヤ８６Ａの外周に形成された歯が、第四ギヤ８４の外周に形成された歯と噛み合うことで、第四ギヤ８４の回転力が大径ギヤ８６Ａに伝達されて、段付ギヤ８６が回転する。
【００５７】
なお、前述の搬送部材６６のギヤ６９は、段付ギヤ８６の小径ギヤ８６Ｂと噛み合っており、段付ギヤ８６からの駆動力が伝達されて搬送部材６６が回転する。
【００５８】
第五ギヤ８５は、シャフト２９に対して空転可能に設けられている。すなわち、第五ギヤ８５は、シャフト２９に相対回転可能に支持されている。換言すれば、第五ギヤ８５は、シャフト２９及び第四ギヤ８４に対して独立して回転可能とされている。さらに換言すれば、第五ギヤ８５は、シャフト２９及び第四ギヤ８４に対して、異なる回転速度で回転可能とされている。
【００５９】
なお、第五ギヤ８５と第四ギヤ８４とが、独立して回転可能であればよいので、第五ギヤ８５及び第四ギヤ８４の少なくとも一方が、シャフト２９に対して空転可能とされていればよい。換言すれば、第五ギヤ８５及び第四ギヤ８４の一方が、シャフト２９に対して固定されていてもよい。この場合、シャフト２９がカバー６０に対して回転可能に支持される。
【００６０】
第五ギヤ８５は、段付ギヤ８６からの駆動力が伝達される。具体的には、第五ギヤ８５の外周に形成された歯が、段付ギヤ８６の小径ギヤ８６Ｂの外周に形成された歯と噛み合うことで、段付ギヤ８６の回転力が第五ギヤ８５に伝達されて、第五ギヤ８５が回転する。換言すれば、第五ギヤ８５は、段付ギヤ８６を介して、第四ギヤ８４からの駆動力が伝達される。
【００６１】
第五ギヤ８５は、第四ギヤ８４に対する軸方向一方側に配置されている。具体的には、第五ギヤ８５は、第四ギヤ８４に対する内側に配置されている。そして、第五ギヤ８５は、図６に示されるように、シャフト２９の軸方向に沿って見て、第四ギヤ８４と重なっている。なお、「重なる」とは、少なくとも、一部同士が重なっていればよい。以下、同様である。
【００６２】
第五ギヤ８５は、第四ギヤ８４よりも大径とされている。本実施形態では、第五ギヤ８５の外周部分が、シャフト２９の軸方向に沿って見て、第四ギヤ８４から第四ギヤ８４の径方向外側にはみ出している。また、第五ギヤ８５の外周部分は、シャフト２９の軸方向に沿って見て、第二ギヤ８２及び段付ギヤ８６の大径ギヤ８６Ａと重なっている。
【００６３】
なお、シャフト２９の軸方向は、第二回転軸の軸方向に沿った方向の一例である。また、第四ギヤ８４、段付ギヤ８６及び第五ギヤ８５は、第二伝達手段からの駆動力が伝達される一以上の伝達手段の一例である。
【００６４】
図５に示される第三ギヤ８３は、二次転写ロール２８のシャフト２８Ａに固定されており、二次転写ロール２８と一体に回転する構成とされている。第三ギヤ８３は、第二ギヤ８２に対する軸方向一方側に配置されている。具体的には、第三ギヤ８３は、第二ギヤ８２の内側に配置されている。さらに具体的には、第三ギヤ８３は、第二ギヤ８２と二次転写ロール２８との間に配置されている。第三ギヤ８３は、図６に示されるように、シャフト２８Ａの軸方向に沿って見て、第二ギヤ８２と重なっている。具体的には、第三ギヤ８３の全体が、第二ギヤ８２と重なっている。
【００６５】
第三ギヤ８３は、第五ギヤ８５からの駆動力が伝達される。具体的には、第三ギヤ８３の外周に形成された歯が、第五ギヤ８５の外周に形成された歯と噛み合うことで、第五ギヤ８５の回転力が第三ギヤ８３に伝達される。そして、第三ギヤ８３は第五ギヤ８５からの駆動力が伝達されることで、対向ロール４２に対して予め定められた周速比で二次転写ロール２８を回転させる。本実施形態では、具体的には、例えば、対向ロール４２の周速度に対して、二次転写ロール２８の周速度が低速となるように、第一ギヤ８１、第二ギヤ８２、第四ギヤ８４、段付ギヤ８６、第五ギヤ８５及び第三ギヤ８３の径及び歯数等が設定されている。
【００６６】
このように、駆動源７２からの駆動力は、第一ギヤ８１、第二ギヤ８２、第四ギヤ８４、段付ギヤ８６、第五ギヤ８５、及び第三ギヤ８３の順で伝達されて二次転写ロール２８が回転する。具体的には、駆動源７２からの駆動力は、第一ギヤ８１、第二ギヤ８２、第四ギヤ８４、段付ギヤ８６によって、図６における＋Ｙ方向へ伝達され、さらに、段付ギヤ８６から、第五ギヤ８５及び第三ギヤ８３によって、図６における−Ｙ方向へ伝達される。すなわち、駆動源７２からの駆動力は、往復するように二次転写ロール２８に伝達される。
【００６７】
また、本実施形態では、二次転写ロール２８、第二ギヤ８２（第二伝達手段の一例）、第三ギヤ８３（第三伝達手段の一例）、第四ギヤ８４（第四伝達手段の一例）、及び第五ギヤ８５（第五伝達手段の一例）が、カバー６０に設けられている。
【００６８】
したがって、カバー６０を装置本体１１に対して開閉することで、装置本体１１に設けられた対向ロール４２のシャフト４２Ａに対して、二次転写ロール２８のシャフト２８Ａが相対移動する。シャフト４２Ａに対してシャフト２８Ａが相対移動することで、第二ギヤ８２が第一ギヤ８１に対して接離される。なお、カバー６０の開閉は、例えば、操作者（ユーザ）の手動により行われる。また、「接離」とは、「接触」と「離間」とをいう。
【００６９】
このように、カバー６０は、シャフト４２Ａに対してシャフト２８Ａを相対移動させて第二ギヤ８２を第一ギヤ８１に対して接離させる接離機構の一例として機能する。
【００７０】
転写ユニット４０の支持体９０は、図４及び図７に示されるように、第二ギヤ８２が第一ギヤ８１に接触する位置に、シャフト２８Ａをシャフト４２Ａに対して位置決めする位置決め部９２を有している。位置決め部９２は、具体的には、図７に示されるように、シャフト２８Ａが径方向に差し込まれる凹部で構成されている。そして、カバー６０を装置本体１１に対して閉じる共に、シャフト２８Ａが、押し付け部材６８を介して、圧縮ばね６９によって、位置決め部９２に押し付けられることで、第二ギヤ８２が第一ギヤ８１に接触する位置に、シャフト２８Ａがシャフト４２Ａに対して位置決めされる。このように、支持体９０は、位置決め手段の一例として機能する。
【００７１】
（本実施形態に係る作用）
次に、本実施形態に係る作用を説明する。
【００７２】
本実施形態の構成によれば、図５に示されるように、第二ギヤ８２が二次転写ロール２８のシャフト２８Ａに設けられている。このため、第二ギヤ８２と第三ギヤ８３とは、図６に示されるように、シャフト２８Ａの軸方向に沿って見て、重なって配置される。これにより、第二ギヤ８２が、シャフト２８Ａの軸方向に沿って見て、第二ギヤ８２のシャフト２８Ａとは異なる位置に設けられている構成に比べ、シャフト２８Ａの軸方向に見たときのスペースが小さくなる。
【００７３】
さらに、本実施形態の構成によれば、第五ギヤ８５は、図６に示されるように、シャフト２９の軸方向に沿って見て、第四ギヤ８４と重なっている。これにより、第五ギヤ８５が、シャフト２９の軸方向に沿って見て、第四ギヤ８４と重なっていない構成に比べ、シャフト２９の軸方向に見たときのスペースが小さくなる。
【００７４】
さらに、本実施形態の構成によれば、第四ギヤ８４及び第五ギヤ８５は、共通のシャフト２９に設けられている。このため、第四ギヤ８４及び第五ギヤ８５が、異なるシャフトに設けられる構成に比べ、シャフト２９の軸方向に見たときのスペースが小さくなる。
【００７５】
本実施形態の構成によれば、カバー６０を装置本体１１に対して閉じる共に（図１及び図２参照）、シャフト２８Ａが、図７に示されるように、押し付け部材６８を介して、圧縮ばね６９によって押し付けられることで、第二ギヤ８２が第一ギヤ８１に接触する位置に、シャフト２８Ａがシャフト４２Ａに対して位置決めされる。
【００７６】
このため、第一ギヤ８１と第二ギヤ８２との接触によりシャフト２８Ａ（二次転写ロール２８）がシャフト４２Ａ（対向ロール４２）に対して位置決めされる構成に比べ、第二ギヤ８２と第一ギヤ８１との軸間の公差が低減される。
【００７７】
また、本実施形態では、第三ギヤ８３は第五ギヤ８５からの駆動力が伝達されることで、対向ロール４２に対して予め定められた周速比で二次転写ロール２８を回転させる。本実施形態では、具体的には、例えば、対向ロール４２の周速度に対して、二次転写ロール２８の周速度が低速となるように、第一ギヤ８１、第二ギヤ８２、第四ギヤ８４、段付ギヤ８６、第五ギヤ８５及び第三ギヤ８３の径及び歯数等が設定されている。
【００７８】
これにより、中間転写ベルト２４と二次転写ロール２８とに挟まれて搬送される記録媒体Ｐが、中間転写ベルト２４に対して先行することが抑制され、中間転写ベルト２４のトナー像が記録媒体に転写される転写位置の位置ずれが抑制される。
【００７９】
したがって、本実施形態では、第二ギヤ８２がシャフト２８Ａとは異なる位置に設けられている駆動機構７０を有する構成に比べ、中間転写ベルト２４のトナー像が記録媒体に転写される転写位置の位置ずれを抑制しつつ、省スペース化が図られる。
【００８０】
また、本実施形態では、二次転写ロール２８は、駆動源７２の駆動力によって回転する。このため、二次転写ロール２８が中間転写ベルト２４に従動して回転する構成に比べ、除去部材６２の接触によって二次転写ロール２８に負荷が掛かっても、対向ロール４２に対して予め定められた周速比で二次転写ロール２８を回転させられる。
【００８１】
したがって、本実施形態の構成によれば、第二ギヤ８２がシャフト２８Ａとは異なる位置に設けられている駆動機構７０を有する構成に比べ、除去部材６２の接触によって二次転写ロール２８に負荷が掛かっても、対向ロール４２に対して予め定められた周速比で二次転写ロール２８を回転させつつ、省スペース化が図られる。
【００８２】
また、本実施形態では、搬送部材６６は、ギヤ６９を通じて、駆動源７２の駆動力が伝達されて、軸部６６Ａが回転することで、羽根６６Ｂが、トナーを軸部６６Ａの軸方向に搬送する。したがって、本実施形態では、二次転写ロール２８と搬送部材６６とは、同一の駆動源７２で駆動される。このため、二次転写ロール２８と搬送部材６６とが別々の駆動源で駆動される構成に比べ、部品点数が低減される。
【００８３】
（変形例）
本実施形態では、第一駆動ロールの一例として、対向ロール４２を用い、第二駆動ロールの一例として、二次転写ロール２８を用いられたが、これに限られない。第一駆動ロール及び第二駆動ロールとしては、対向配置されたロールであればよく、例えば、加熱ロールと加圧ロールを含む定着ロールや、一対の搬送ロール等を用いてもよい。
【００８４】
また、本実施形態では、一以上の伝達手段の一例として、第四ギヤ８４、段付ギヤ８６及び第五ギヤ８５による３つの伝達手段（ギヤ）を用いたが、これに限られない。一以上の伝達手段の一例としては、例えば、段付ギヤ等を含む１又は２つのギヤで構成されていてもよい。また、一以上の伝達手段の一例としては、４つ以上のギヤで構成されていてもよい。
【００８５】
また、本実施形態では、記録媒体Ｐが中間転写ベルト２４に対して先行しやすい構成を想定しているため、対向ロール４２の周速度に対して、二次転写ロール２８の周速度が低速となるように、対向ロール４２に対する二次転写ロール２８の周速比が設定されていたが、これに限られない。例えば、中間転写ベルト２４が記録媒体Ｐに対して先行しやすい構成の場合では、対向ロール４２の周速度に対して、二次転写ロール２８の周速度が高速となるように、対向ロール４２に対する二次転写ロール２８の周速比が設定される構成であってもよい。すなわち、本実施形態では、二次転写ロール２８は、対向ロール４２に対して周速比を有していればよい。換言すれば、二次転写ロール２８と対向ロール４２とは、周速度が異なっていればよい。
【００８６】
本実施形態では、第四ギヤ８４及び第五ギヤ８５は、シャフト２９に設けられていたが、これに限られない。例えば、第四ギヤ８４及び第五ギヤ８５は、シャフト２９の軸方向（シャフト２８Ａの軸方向に沿った方向）に見て重なる状態で、異なるシャフト（回転軸）に設けられる構成であってもよい。さらに、第四ギヤ８４及び第五ギヤ８５は、シャフト２９の軸方向（シャフト２８Ａの軸方向に沿った方向）に見て重なっていない状態で配置される構成であってもよい。
【００８７】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００８８】
１０   画像形成装置
２８   二次転写ロール（第二駆動ロールの一例、転写ロールの一例）
２８Ａ シャフト（第二駆動軸の一例）
２９   シャフト（第三駆動軸の一例）
４２   対向ロール（第一駆動ロールの一例）
４２Ａ シャフト（第一駆動軸の一例）
６０   カバー（接離機構の一例）
６２   除去部材（除去手段の一例）
６４   収容部（収容手段の一例）
６６   搬送部材（搬送手段の一例）
７０   駆動機構
７２   駆動源
８１   第一ギヤ（第一伝達手段の一例）
８２   第二ギヤ（第二伝達手段の一例）
８３   第三ギヤ（第三伝達手段の一例）
８４   第四ギヤ（第四伝達手段の一例、一以上の伝達手段の一例）
８５   第五ギヤ（第五伝達手段の一例、一以上の伝達手段の一例）
８６   段付ギヤ（一以上の伝達手段の一例）
９０   支持体（位置決め手段の一例）
【図１】
2020030297.tif 000003
【図２】
2020030297.tif 000004
【図３】
2020030297.tif 000005
【図４】
2020030297.tif 000006
【図５】
2020030297.tif 000007
【図６】
2020030297.tif 000008
【図７】
2020030297.tif 000009